(57)【特許請求の範囲】
【請求項１】
パラボラアンテナと、パラボラアンテナに対して一定の位置関係を保つように受信部支持アームを介して連結されている高周波信号受信部とを備え、この信号受信部にあっては、パラボラアンテナからの信号を受入れる為の一次放射器と、一次放射器から入来する信号を周波数変換する為のコンバータ−本体と、コンバータ−本体から信号を出力させる為の出力端子と、信号受信部を受信部支持アームの先部に連結する為に信号受信部から突出させた連結部材と、上記一次放射器とコンバータ−本体とを包被するように配設されたカバーとを備えているアンテナ装置において、
上記連結部材は上記出力端子における外被部分の上部位置からその外被部分と一体材でもって斜め前下方向に延設してあり、かつ、連結部材の上部位置から上方に向けては一次放射器の元部とコンバータ−本体における一次放射器側の一部を支持する為の支持部材を一体材でもって形成し、上記連結部材と出力端子とをカバーにおける下方に形成される一つの開口部から下方に向けて突出できるようにしたことを特徴とするアンテナ装置における信号受信部の構造。
【請求項２】
上記一次放射器とコンバータ−本体とを包被する上記のカバーは、一次放射器の信号入来方向に二分されている前側カバー要素と、後側カバー要素とから成り、それらの前側カバー要素と、後側カバー要素との合着部の位置は上記出力端子を挟む状態となる位置に設定し、上記合着部の下方に形成される一つの開口部から上記連結部材と出力端子とが下方に向けて突出する状態にしたこと特徴とする請求項１記載のアンテナ装置における信号受信部の構造。
【発明の詳細な説明】
【０００１】
【発明の属する技術分野】
本発明は、パラボラアンテナと、パラボラアンテナに対して一定の位置関係を保つように受信部支持アームを介して連結されている高周波信号受信部とを備えるアンテナ装置に関するものであり、詳しくは、信号受信部において、パラボラアンテナからの信号を受入れる為の一次放射器と、一次放射器から入来する信号を周波数変換する為のコンバータ−本体と、コンバータ−本体から信号を出力させる為の出力端子と、信号受信部を受信部支持アームの先部に連結する為に信号受信部から突出させた連結部材と、上記一次放射器とコンバータ−本体とを包被するように配設されたカバーとを備えているアンテナ装置における信号受信部の構造に関する。
【０００２】
【従来の技術】
従来より広く知られているアンテナ装置における信号受信部にあっては、信号受信部におけるケース（カバー）の表面の一部に、受信部支持アームの先部に連結する為の連結部を備えさせている。またこれとは別に信号受信部の内部に備えているコンバータ−本体と外部の給電線とを接続する為の出力端子も突出させている。
【０００３】
【発明が解決しようとする課題】
この従来のアンテナ装置における信号受信部の構造では、一次放射器とコンバータ−本体とを包被するように形成しなければならないカバーの形状が非常に複雑になり、製作に費用が要するのみならず、一次放射器とコンバータ−本体とを包被する為のカバーの取付け作業も人手間の掛る問題点があった。
【０００４】
本件出願のアンテナ装置における信号受信部の構造は、上記従来技術の問題点を解決する為に提供するものである。
本件出願の目的は、信号受信部に設けられる連結部材と出力端子とを一箇所に集め、一次放射器とコンバータ−本体とを包被する為のカバーの形状を簡素に出来るようにしたアンテナ装置における信号受信部の構造を提供しようとするものである。
他の目的は、カバーを二つの要素から構成するように形成し、しかもそれらのカバー要素の合着部を上記出力端子位置に設定し、カバーの形状を極めて簡易に成形できるような凹陥形状の構成にすることが出来、カバーを安価に製作できるようにしたアンテナ装置における信号受信部の構造を提供しようとするものである。
他の目的及び利点は図面及びそれに関連した以下の説明により容易に明らかになるであろう。
【０００５】
【課題を解決するための手段】
本願発明におけるアンテナ装置における信号受信部の構造は、パラボラアンテナと、パラボラアンテナに対して一定の位置関係を保つように受信部支持アームを介して連結されている高周波信号受信部とを備え、この信号受信部にあっては、パラボラアンテナからの信号を受入れる為の一次放射器と、一次放射器から入来する信号を周波数変換する為のコンバータ−本体と、コンバータ−本体から信号を出力させる為の出力端子と、信号受信部を受信部支持アームの先部に連結する為に信号受信部から突出させた連結部材と、上記一次放射器とコンバータ−本体とを包被するように配設されたカバーとを備えているアンテナ装置において、上記連結部材は上記出力端子における外被部分の上部位置からその外被部分と一体材でもって斜め前下方向に延設してあり、かつ、連結部材の上部位置から上方に向けては一次放射器の元部とコンバータ−本体における一次放射器側の一部を支持する為の支持部材を一体材でもって形成し、上記連結部材と出力端子とをカバーにおける下方に形成される一つの開口部から下方に向けて突出できるようにしたものである。
【０００６】
【発明の実施の形態】
以下本願発明の実施の形態を示す図面について説明する。図１乃至図４は、パラボラアンテナと高周波信号受信部１とで構成されるアンテナ装置において、高周波信号受信部１の構成を示す。これらの図において、高周波信号受信部１は周知のように図示外のパラボラアンテナに対して一定の位置関係を保つように受信部支持アーム５を介して連結されている。この信号受信部１にあっては、パラボラアンテナからの信号を受入れる為の一次放射器２と、一次放射器２から入来する信号を周波数変換する為のコンバータ−本体３と、コンバータ−本体から信号を出力させる為の出力端子４と、信号受信部１を受信部支持アームの先部に連結する為に信号受信部から突出させた連結部材６と、上記一次放射器とコンバータ−本体とを包被するように配設されたカバー７とを備えている。
【０００７】
図示されている一次放射器２は周知のように先端を開口させたラッパ状の開口部２ａと、筒状中空の導入部２ｂとが一体的にダイカスト製法で作られている。
コンバータ本体３は一端３ａを導入部２ｂに連通させ、他端３ｂの側を開口させた構成であって、その開口部３ｂに板金をプレス加工した蓋３ｃを着脱自在に装着し、内部には任意構成による電子回路が装着されているプリント基板３ｄが備えさせてある。
出力端子４は同軸コネクターとも称され、筒状形成の外被部分４ａは、導入部２ｂ及びコンバータ本体３の構造部分、更には連結部材６等と一体的に導電材、例えばダイカスト製法で作られている。内部の空間部４ｂにあっては周知のように絶縁材で保持された内部導体４ｃが備えら、これには上記プリント基板３ｄが結線されている。
１８は、同軸ケーブル１７の先端に装着してあるコネクタを示し、１８ａは上記外被部分４ａの外周に周設された雄ねじに螺合させてコネクタを外被部分４ａに機械的に定着させると共に高周波的にも同軸ケーブルの外被に接続するようにしてあるナット部材、１８ｂは中心導体を示し、同軸ケーブル１７における芯線１７ａに接続してある。２０は防水キャップを示し、支持部材１５に設けられている下向き円柱状の装着部１５ａに嵌合させてある。
【０００８】
上記連結部材６は上記出力端子４における外被部分４ａの上部位置１５から前側の重心点に近いバランスの良い位置から図示のように、その外被部分４ａと一体材でもって斜め前下方向に延設してある。上記連結部材６の上部位置６ｂから上方に向けては一次放射器２の元部２ｃとコンバータ−本体３における一次放射器側の一部３ａを支持する為の支持部材１４、１５を一体材でもって形成してある。
一端が図示外のパラボラアンテナに対して一定の位置関係を保つ状態で装着されている断面角形の中空状の受信部支持アーム５の他端５ａは、図２に示されているよう上記連結部材６をアーム５の他端５ａの中に差込んだ状態で、抜差し自在の状態で一体的に連結してある。６ａはボルト１９を螺合させる為の雌ねじ孔で、これにボルト１９を螺合させ、図２の如き締付け状態では上記連結部材６の両端の部材６ｃはアーム５の内面に当接して両者は一体化している。
【０００９】
上記一次放射器２とコンバータ−本体３とを包被する上記のカバー７は、図１〜４に示される如く一次放射器の信号入来方向２４に向けて二分されており、夫々の材料は、合成樹脂（例えばＡＢＳ樹脂等の硬質樹脂）を用いて前側カバー要素８と、後側カバー要素９とが形成されている。
前側カバー要素８は、一次放射器の前面２ａを保護する為の包皮要素８ａと、一次放射器２ｂの外周に空間２５を隔てて配置し、一次放射器２ｂを保護する為の包皮要素８ｂと、連結部材６の元部に位置する支持部材１５、特に其処に内蔵される出力端子４の部分１５を保護する為の包皮要素８ｃと、後側カバー要素９における合着部９ｄに対向させる合着部８ｄとを備える。
後側カバー要素９は、コンバータ−本体３の後方と周囲とを保護する為の包皮要素９ａ、９ｂと、出力端子４の部分を保護する為の包皮要素９ｃと、前側カバー要素８における合着部８ｄに対向させる合着部９ｄとを備える。
【００１０】
カバー７における各複数の第１及び第２係合片１０、１１は、夫々元部を、前側カバー要素８と、後側カバー要素９に対して先端部が噛合わせ方向に弾力性が得られるように一体的に装着してある。係合片１０の先端には係合爪１０ａが形成され、一次放射器２に対する矢印２４方向からの装着状態においてはコンバータ−本体３の周壁に設ける４〜６ヶの凸部１０ｂに対して図示の如く夫々係止するようにしてある。
対応数の係合片１１の先端には係合爪１１ａが形成され、一次放射器２に対して前側カバー要素８を装着した後、後側カバー要素９を装着した状態においては係合片１０の中間に設ける透孔１０ｃの孔縁に図示の如く係止するようにしてある。上記の前側カバー要素８と、後側カバー要素９との合着部１６は図４のように双方に凹部と凸部を補完可能に形成し、雨水の浸入を防止できるようにしてある。
また上記合着部１６の位置は、図からも明らかなように水漏があってもコンバータ−本体３に入らないように、上記出力端子４の位置の上方に配置され、前側カバー要素８を図２の右から被せ付け、次に後側カバー要素９を図２の左から被せ付けた場合に、嵌め付け可能に出力端子４の最大太径部の位置（図３参照）に合着部１６の位置が決定されるように構成してある。
【００１１】
上記構成のものにあっては、ダイカスト製法または他の導電材料を用いての鋳造法によって一体的に成形された一次放射器２の本体、コンバータ−本体３の本体、出力端子４の外被部分４ａ、連結部材６等から成る基体に対して、順次、プリント基板３ｄ、内部導体４ｃ等の周知とする必要な内部要素を組付け、矢印２４方向から入来する信号を変換して同軸ケーブル１７に向けて送出可能に構成する。次に図２の右からと、左から、前側カバー要素８と、後側カバー要素９とを相対的に上記基体に図２の状態に被せ付ける。次に受信部支持アーム５の他端５ａを連結部材６に被せ付け、図示の如くボルト１９を用いて固着する。その場合上記他端５ａの先端は上記包皮要素８ｃの下端に密着するように装着する。また、各所には必要な水密用パッキンを配置する。１２は周知のコルゲートを示し、そこの外側にはパッキン（シール材）２１を周設する。また蓋の周囲にもパッキン（シール材）２２を周設する。出力端子４の上部の空間にも防水用のパッキン（シール材）２３を設ける。このようにして一次放射器２の本体、コンバータ−本体３の本体、出力端子４の外被部分４ａにおける夫々の内部に雨水が浸入しないようにしてある。
【００１２】
【発明の効果】
以上のように本願発明は、連結部材６を上記出力端子４における外被部分４ａの上部位置１５から、その外被部分４ａと一体材でもって斜め前下方向に延設したものであるから、信号受信部１のカバー７から外部に向けて突出する部分は単に出力端子部分４のある一箇所のみとなり、カバー７の構成を極めて簡易化する上に効果がある。
【００１３】
しかもそのカバー７から外部に向けて突出する部分に位置する出力端子４を中心にして前側カバー要素８と、後側カバー要素９とを合着してカバー７を構成するようにすることにより夫々のカバー要素８、９は単に凹部を有するお椀形状の簡単な形状のものでよく、カバー７の製作を極めて簡単安価にさせる効果もある。
【図面の簡単な説明】
【図１】（Ａ）は、信号受信部の正面図、（Ｂ）は、左側面図、（Ｃ）右側面図。
【図２】（Ａ）は、図３のＩ−Ｉ位置において、一部を破断した信号受信部の正面図、（Ｂ）はIIーII線拡大図。
【図３】信号受信部の底面図。
【図４】（Ａ）は、一対のカバー要素を分離させた状態を示す正面図、（Ｂ）はＢーＢ’線部分拡大図。
【符号の説明】
１・・・高周波信号受信部、２・・・一次放射器、３・・・コンバータ−本体、４・・・出力端子、５・・・受信部支持アーム、６・・・連結部材、７・・・カバー、８・・・前側カバー要素、９・・・後側カバー要素、１０・・・第１係合片、１１・・・第２係合片、１２・・・溝、１４、１５・・・支持部材、１６・・・合着部。
【図１】
0004468615.tif 000002
【図２】
0004468615.tif 000003
【図３】
0004468615.tif 000004
【図４】
0004468615.tif 000005